(57)【要約】【課題】部品点数を減らし簡単な構造で輻射熱の漏れを防止でき、効率良く除湿ローターから水分を放出させることのできる除湿機を提供することを目的としている。【解決手段】発熱ユニット４の加熱ヒーター４ａと外枠４ｂとの間に遮蔽板４ｃを設けることで、遮蔽板４ｃで加熱ヒーター４ａの直接的な輻射熱を遮り、遮蔽板４ｃと外枠４ｂとの間の空気層４ｄで間接的な輻射熱を遮断して輻射熱の漏れを防止することにより、水分吸着した除湿ローター２への加熱ロスを低減することで効率良く水分を脱離できる除湿機が得られる。【選択図】図１
2008207183.tif 000002
【特許請求の範囲】
【請求項１】
本体内部に、空気中の水分を吸着する除湿ローターと、前記除湿ローターを回転させる駆動手段と、前記除湿ローターから水分を放出させる発熱手段と、この発熱手段により前記除湿ローターから放出された高温高湿空気を結露させる熱交換器と、前記熱交換器を通過した高温高湿空気を上記発熱手段に戻すダクトと、前記発熱手段、除湿ローター、熱交換器、ダクトの順序に通過する空気を閉循環させる第１送風手段と、前記熱交換器を冷却するとともに前記除湿ローターに水分を吸着させて吹出口から乾燥空気を送出する第２送風手段を有し、前記発熱手段の加熱ヒーターと外枠との間に発熱体前面を覆う遮蔽板を設けた除湿機。
【請求項２】
発熱手段内に設けた遮蔽板の発熱体側の表面は光沢性を有してなる請求項１記載の除湿機。
【請求項３】
発熱手段内に設けた遮蔽板の空気流入側に傾斜面を設けた請求項１又は２記載の除湿機。
【請求項４】
本体内部に、空気中の水分を吸着する除湿ローターと、前記除湿ローターを回転させる駆動手段と、前記除湿ローターから水分を放出させる発熱手段と、この発熱手段により前記除湿ローターから放出された高温高湿空気を結露させる熱交換器と、前記熱交換器を通過した高温高湿空気を上記発熱手段に戻すダクトと、前記発熱手段、除湿ローター、熱交換器、ダクトの順序に通過する空気を閉循環させる第１送風手段と、前記熱交換器を冷却するとともに前記除湿ローターに水分を吸着させて吹出口から乾燥空気を送出する第２送風手段を有し、発熱手段の内枠の断面形状を前記除湿ローターおよび突形状の除湿ローター保持枠に沿うように近接して段状に形成した除湿機。
【請求項５】
発熱手段の内枠の除湿ローター保持枠を耐熱性合成樹脂製にしてなる請求項４記載の除湿機。
【請求項６】
第２送風手段と吹出口の間に発熱部を有し、この発熱部の下流側に開口率が小なる金属メッシュを設けた請求項１〜５のいずれかに記載の除湿機。
【発明の詳細な説明】
【技術分野】
【０００１】
本発明は、室内空気を除湿する除湿機に関するものである。
【背景技術】
【０００２】
従来、この種の除湿機は、図６および図７に示すものが一般的であった。
【０００３】
以下、その除湿機について図を参照しながら説明する。
【０００４】
図に示すように、本体１０１内部に、駆動モーター１０２により回転される空気中の水分を吸脱着するための除湿ローター１０３と、この除湿ローター１０３を加熱する発熱ユニット１０４を設け、発熱ユニット１０４は加熱ヒーター１０４ａを備えている。加熱ヒーター１０４ａで加熱された除湿ローター１０３は高温高湿空気を放出し、この高温高湿空気は熱交換器１０５と、サブ熱交換器１０５ａを通るときに結露水を生成し、この結露水は排水タンク１１１に流れ込む。除湿ローター１０３、発熱手段１０４、熱交換器１０５、サブ熱交換器１０５ａを支持する仕切り板（図示せず）を設けている。また、除湿ローター１０３から熱交換器１０５、サブ熱交換器１０５ａ、発熱ユニット１０４に戻る閉循環経路ａに空気を通風する第１の送風ファン１０６を設け、本体１０１内に室内空気を吸込み、乾燥空気を排出する通風路に第２の送風ファン１０７を設けている。前記発熱ユニット１０４内は送風領域１０４ｃと加熱領域１０４ｄがあり、加熱ヒーター１０４ａと外枠１０４ｂの間に複数の穴を有した遮蔽板１０４ｅを設けることにより、加熱ヒーター１０４ａによる周辺部品への輻射熱を抑制するとともに、送風領域１０４ｃと加熱領域１０４ｄの通過風量を適正に調節する役目をしている。また、前記発熱ユニット１０４の金属製内枠１０４ｆは回転する除湿ローター１０３の金属製除湿ローター保持枠１０３ａとの隙間を０．１ｍｍ〜０．５ｍｍの隙間となるよう設置され、閉循環経路ａからの空気漏れを防止している。また、吹出口１０９近傍に衣類乾燥時に衣類を早く乾燥させるためのヒーター１１０を設けた構成となっている。
【発明の開示】
【発明が解決しようとする課題】
【０００５】
このような従来の除湿機では、遮蔽板に複数の穴が開いているため、穴部分から輻射熱が漏れて熱効率が低下し、また、遮蔽板を加熱ヒーターと別に設ける必要があり、部品点数が増えるという課題があり、部品点数を減らし簡単な構造で輻射熱の漏れを防止でき、効率良く除湿ローターに輻射熱を供給することが要求されている。
【０００６】
また、遮蔽板自身が熱を吸収して、間接的に熱が周囲に分散して除湿ローターへの熱効率が低下するという課題があり、遮蔽板の熱吸収を減らして熱効率を上げ、加熱ヒーターの発熱量を有効に利用するとともに周辺部品への熱影響を低減することが要求されている。
【０００７】
また、遮蔽板と外枠との隙間に風が漏れ、加熱ヒーターに均一に送風されないという課題があり、輻射熱を遮蔽しながら通風の抵抗を減らして、加熱ヒーターに均一に送風することが要求されている。
【０００８】
また、発熱ユニットの内枠と除湿ローター保持枠との近接面は小さな隙間を設けているが、互いに平行であるため、閉循環経路の空気が漏れやすく除湿効率が減少するという課題があり、発熱ユニットの内枠と除湿ローター保持枠との隙間からの空気漏れを低減させ、除湿効率を向上させることが要求されている。
【０００９】
また、仕切り板の反り、歪みで発熱ユニットの金属製内枠と除湿ローターの金属製除湿ローター保持枠が回転時に接触し、金属表面のメッキが剥がれて腐蝕したり、金属同士が擦れる異音が発生するという課題があり、回転時に接触してもメッキが剥がれて腐蝕することのない、また、金属同士の擦れ音が発生しないことが要求されている。
【００１０】
また、衣類乾燥用のヒーター内部の風速分布が均一でないため、吹出口から吹出される温風温度が均一でなく、本体上方に吊るされた衣類に乾燥むらができやすく、乾燥効率が悪いという課題があり、吹出口から吹出される温風温度を均一にして、衣類の乾燥効率を向上させることが要求されている。
【００１１】
本発明は、このような従来の課題を解決するものであり、加熱ヒーターの輻射熱が周辺部品に漏れるのを防止し、また、加熱ヒーターの輻射熱を有効に使い除湿ローターへの加熱量を増やし、また、加熱ヒーターへの通風を均一にして除湿ローターの水分を効率良く放出させることができ、また、発熱ユニットの内枠と除湿ローター保持枠との隙間からの空気漏れを低減させ、また、発熱ユニットの内枠と金属製除湿ローター保持枠が回転時に接触した場合に、金属表面のメッキが剥がれて腐蝕したり、異音が発生したりすることがなく、また、ヒーターを通過した流れの風速分布および温度分布を均一にすることで衣類乾燥効率を向上させた除湿機を提供することを目的としている。
【課題を解決するための手段】
【００１２】
本発明の除湿機は上記目的を達成するために、本体内部に、空気中の水分を吸着する除湿ローターと、前記除湿ローターを回転させる駆動手段と、前記除湿ローターから水分を放出させる発熱手段と、この発熱手段により前記除湿ローターから放出された高温高湿空気を結露させる熱交換器と、前記熱交換器を通過した高温高湿空気を上記発熱手段に戻すダクトと、前記発熱手段、除湿ローター、熱交換器、ダクトの順序に通過する空気を閉循環させる第１送風手段と、前記熱交換器を冷却するとともに前記除湿ローターに水分を吸着させて吹出口から乾燥空気を送出する第２送風手段を有し、前記発熱手段の発熱体と外枠との間に発熱体前面を覆う遮蔽板を設けたものである。
【００１３】
本発明によれば、加熱ヒーターの輻射熱が周辺部品に漏れるのを防止できる除湿機が得られる。
【００１４】
また他の手段は、発熱手段内に設けた遮蔽板の発熱体側の表面は光沢性を有してなるものである。
【００１５】
本発明によれば、加熱ヒーターの輻射熱を有効に使い除湿ローターへの加熱量を増やした除湿機が得られる。
【００１６】
また他の手段は、発熱手段内に設けた遮蔽板の空気流入側に傾斜面を設けたものである。
【００１７】
本発明によれば、加熱ヒーターへの通風を均一にして除湿ローターの水分を効率良く放出させる除湿機が得られる。
【００１８】
また他の手段は、発熱手段の内枠の断面形状を前記除湿ローターおよび突形状の除湿ローター保持枠に沿うように近接して段状に形成したものである。
【００１９】
本発明によれば、発熱ユニットの内枠と除湿ローター保持枠との隙間からの空気漏れを低減できる除湿機が得られる。
【００２０】
また他の手段は、発熱手段の内枠の除湿ローター保持枠を耐熱性合成樹脂製にしたものである。
【００２１】
本発明によれば、発熱ユニットの内枠と金属製除湿ローター保持枠が回転時に接触した場合に、金属表面のメッキが剥がれて腐蝕したり、異音が発生したりすることがない除湿機が得られる。
【００２２】
また他の手段は、第２送風手段と吹出口の間に発熱部を有し、この発熱部の下流側に開口率が小なる金属メッシュを設けたものである。
【００２３】
本発明によれば、ヒーターを通過した流れの風速分布および温度分布を均一にすることで衣類乾燥効率を向上させた除湿機が得られる。
【発明の効果】
【００２４】
本発明によれば発熱ユニットの加熱ヒーターと外枠との間に遮蔽板を設けたことにより、加熱ヒーターからの直接的な輻射熱は遮蔽板によって遮られ、間接的な輻射熱は遮蔽板と外枠の間に設けた空気の層で断熱され、外枠を介して発熱ユニット外部へ熱が拡散することを防止でき、加熱ヒーターの入力を低減できる効果のある除湿機を提供できる。
【００２５】
また、遮蔽板の加熱ヒーター側の表面は光沢性のあるものとしたことにより、加熱ヒーターからの直接的な輻射熱を遮蔽板が除湿ローター側に反射させて熱効率を向上することができるため、除湿ローターから効率良く水分を脱離することのできる効果のある除湿機を提供できる。
【００２６】
また、遮蔽板の空気流入側に傾斜面を設けたことにより、傾斜面が加熱ヒーター内部への送風を整流し、除湿ローターへ供給される温風の温度分布および風速分布を均一化できるので、高い除湿能力を安定して維持できる効果のある除湿機を提供できる。
【００２７】
また、発熱ユニットの内枠の断面形状を除湿ローターおよび除湿ローター保持枠に沿うように近接して段状形成したことにより、除湿ローター保持枠との隙間にできる気流の漏れ経路を屈曲して長く取ることができ、漏れを少なく抑えて除湿効率を高く保つことができる効果のある除湿機を提供できる。
【００２８】
また、発熱ユニットの内枠側の除湿ローター保持枠を耐熱性合成樹脂製としたことにより、発熱ユニットの金属製の内枠と合成樹脂製の除湿ローター保持枠が接触しても、金属同士が擦れ合わないのでメッキが剥がれて腐蝕するのを防止でき、擦れ音も発生することがない効果のある除湿機を提供できる。
【００２９】
また、第２送風手段と吹出口の間に発熱部を有し、この発熱部の下流側に開口率が小なる金属メッシュを設けたことにより、金属メッシュが発熱部内部を流れる風を整流し風速分布を均一にできるので、吹出口から吹出される温風温度を均一にでき、効率良く衣類を乾燥することができる効果のある除湿機を提供できる。
【発明を実施するための最良の形態】
【００３０】
本発明は、本体内部に、空気中の水分を吸着する除湿ローターと、前記除湿ローターを回転させる駆動手段と、前記除湿ローターから水分を放出させる発熱手段と、この発熱手段により前記除湿ローターから放出された高温高湿空気を結露させる熱交換器と、前記熱交換器を通過した高温高湿空気を上記発熱手段に戻すダクトと、前記発熱手段、除湿ローター、熱交換器、ダクトの順序に通過する空気を閉循環させる第１送風手段と、前記熱交換器を冷却するとともに前記除湿ローターに水分を吸着させて吹出口から乾燥空気を送出する第２送風手段を有し、前記発熱手段の加熱ヒーターと外枠との間に発熱体前面を覆う遮蔽板を設けたものであり、遮蔽板で加熱ヒーターの直接的な輻射熱を遮り、遮蔽板と外枠との間の空気層で間接的な輻射熱を遮断できるという作用を有する。
【００３１】
また、発熱手段内に設けた遮蔽板の発熱体側の表面が光沢性を有することにより、遮蔽板で加熱ヒーターの直接的な輻射熱を遮り、加熱ヒーターの直接的な輻射熱を除湿ローターに向けて反射させることができるという作用を有する。
【００３２】
また、発熱手段内に設けた遮蔽板の空気流入側に傾斜面を設けることにより、傾斜面で加熱ヒーターへの送風を整流でき、加熱ヒーターを通過する風速を均一にして温風温度を均等化できるという作用を有する。
【００３３】
また、発熱手段の内枠の断面形状を前記除湿ローターおよび突形状の除湿ローター保持枠に沿うように近接して段状に形成したことにより、発熱手段の内枠と除湿ローター保持枠との間にできる隙間からの気流の漏れ経路を長く取ることができ、気流の漏れを少なくすることができるという作用を有する。
【００３４】
また、発熱手段の内枠側の除湿ローター保持枠を耐熱性合成樹脂製にすることにより、発熱手段の金属製の内枠と除湿ローター保持枠の回転時の接触によるメッキ剥がれと擦れ音を防止できるという作用を有する。
【００３５】
また、吹出口と第２送風手段の間に発熱部を有し、この発熱部の下流側に開口率が小なる金属メッシュを設けたことで、発熱部内部の風速分布を均一にでき、吹出口から吹出される温風温度を均一にして衣類乾燥に利用できるという作用を有する。
【００３６】
以下、本発明の実施の形態について図面を参照しながら説明する。
【００３７】
（実施の形態１）
図１および図２に示すように、本体１内には空気中の水分を吸着する除湿ローター２と、前記除湿ローターを回転させる駆動手段３と、前記除湿ローターから水分を放出させる発熱ユニット４と、この発熱ユニット４により前記除湿ローター２から放出された高温高湿空気を結露させる熱交換器５と、前記熱交換器を通過した高温高湿空気を上記発熱手段に戻すダクト５ａを内蔵している。前記発熱ユニット４、除湿ローター２、熱交換器５、ダクト５ａは仕切り板（図示せず）によって支持され、本体１内部に固定されている。第１送風手段７により発熱ユニット４、除湿ローター２、熱交換器５、ダクト５ａの順序に通過する空気を閉循環させる閉循環風路ａと、第２送風手段８により熱交換器５を冷却するとともに除湿ローター２に水分を吸着させて吹出口から乾燥空気を送出する風路ｂを形成している。なお閉循環風路ａにおいて、熱交換器５内で結露を起こして生じた結露水は排水タンク９に貯えるようになっている。
【００３８】
また、発熱ユニット４の加熱ヒーター４ａと外枠４ｂとの間には発熱ヒーター４ａ前面を覆うように遮蔽板４ｃを設け、外枠４ｂと遮蔽板４ｃの間に空気層４ｄを設けた構成となっている。
【００３９】
上記構成において、発熱ユニット４の加熱ヒーター４ａからの直接的な輻射熱は遮蔽板４ｃによって遮られ、また、間接的な輻射熱は遮蔽板４ｃと外枠４ｂの間に設けた空気の層４ｄで断熱され、外枠４ｂを介して発熱ユニット４外部へ熱が拡散することを防止できる。すなわち加熱ヒーター４ａの発熱容量を低減することができるとともに、熱ロスのない効率良い除湿運転を行うことができる。
【００４０】
（実施の形態２）
本実施の形態以降において、実施の形態１と同一構成のものは同一番号を付して詳しい説明を省略する。
【００４１】
発熱ユニット４内に設けた遮蔽板４ｃの加熱ヒーター４ａ側の表面は、鏡面仕上げなど光沢性を有する表面処理が施されている。
【００４２】
上記構成において、発熱ユニット４の加熱ヒーター４ａからの直接的な輻射熱は遮蔽板４ｃによって遮られ、また、間接的な輻射熱は遮蔽板４ｃと外枠４ｂの間に設けた空気の層４ｄで断熱され、外枠４ｂを介して発熱ユニット４外部へ熱が拡散することを防止できる。さらに加熱ヒーター４ａからの直接的な輻射熱を遮蔽板４ｃが除湿ローター２側に反射させて熱効率を向上することができるとともに、周辺に逸散する熱ロスを軽減することができる。
【００４３】
したがって、除湿ローター２を従来と同一温度まで加熱する場合は、加熱ヒーター４ａの入力を低減でき、省エネルギーで効率良く除湿運転を行うことができる。
【００４４】
（実施の形態３）
図３に示すように、発熱ユニット４内に設けた遮蔽板４ｃの空気流入側に傾斜面４ｄを設け、遮蔽板４ｃと外枠４ｂの間には空気の層４ｄを介在させた構成としている。
【００４５】
上記構成において、発熱ユニット４の加熱ヒーター４ａからの直接的な輻射熱は遮蔽板４ｃによって遮られ、また、間接的な輻射熱は遮蔽板４ｃと外枠４ｂの間に設けた空気の層４ｄで断熱され、外枠４ｂを介して発熱ユニット４外部へ熱が拡散することを防止できる。さらに傾斜面４ｄが加熱ヒーター４ａ内部へ向かう空気流れを整流して、風速分布を略均一にできるので、加熱ヒーター４ａを通過するときの熱交換効率が改善され、効率良く除湿運転を行うことができる。
【００４６】
（実施の形態４）
図４に示すように発熱ユニット４の内枠１０に凸部１０ａを設け、この凸部１０ａを、除湿ローター２の表面と除湿ローター保持枠１１の凸部１１ａに沿うように微少な距離（０．５ｍｍ以下）を隔てて突出して配設した構成としている。
【００４７】
上記構成において、発熱ユニット４の内枠１０と除湿ローター保持枠１１の間には０．５ｍｍ以下の隙間が段状に形成され、加熱ヒーター４ａで加熱された熱風の漏れを極めて少なく抑えることができ、除湿性能を向上することができる。
【００４８】
（実施の形態５）
図４に示すように、発熱ユニット４の内枠１０側の除湿ローター保持枠１１を耐熱性合成樹脂製にしたもので、金属性に比べて厚みがやや大きくなっている。
【００４９】
上記構成において、仕切り板６の反り、歪み等で発熱ユニット４の金属製の内枠１０と樹脂製の除湿ローター保持枠１１が接触した場合は、合成樹脂の表面と金属の接触となるが、金属同士が擦れ合うことがないので、メッキ剥がれや擦れ音の発生がなく、長期間安定して使用することができる。
【００５０】
（実施の形態６）
図５に示すように第２送風手段８と吹出口１２との間に衣類乾燥用の発熱部１３を有し、前記発熱部１３の上面を開口率が小なる金属メッシュ１３ａで覆った構成としている。
【００５１】
上記構成において、開口率が小なる金属メッシュ１３ａが衣類乾燥用の発熱部内部を流れる風を整流し風速分布を均一にできるので、金属メッシュ１３ａを通過して吹出口１２から吹出される温風温度を均一にでき、効率良く衣類を乾燥することができる。
【図面の簡単な説明】
【００５２】
【図１】本発明の実施の形態１〜６の除湿機の断面図
【図２】同実施の形態１の発熱ユニットの断面図
【図３】同実施の形態３の発熱ユニットの断面図
【図４】同実施の形態４、５の発熱ユニットと除湿ローターの断面図
【図５】同実施の形態６の除湿機の背面側上部斜視図
【図６】従来の除湿機の断面図
【図７】同除湿機の発熱ユニットと除湿ローターの断面図
【符号の説明】
【００５３】
１      本体
２      除湿ローター
３      駆動手段
４      発熱ユニット（発熱手段）
４ａ    加熱ヒーター
４ｂ    外枠
４ｃ    遮蔽板
４ｄ    空気層
４ｅ    傾斜面
５      熱交換器
５ａ    ダクト
７      第１送風手段
８      第２送風手段
９      排水タンク
１０    内枠
１１    除湿ローター保持枠
１２    吹出口
１３    発熱部
１３ａ  金属メッシュ
【図１】
2008207183.tif 000003
【図２】
2008207183.tif 000004
【図３】
2008207183.tif 000005
【図４】
2008207183.tif 000006
【図５】
2008207183.tif 000007
【図６】
2008207183.tif 000008
【図７】
2008207183.tif 000009
【手続補正書】
【提出日】平成20年4月16日(2008.4.16)
【手続補正１】
【補正対象書類名】特許請求の範囲
【補正対象項目名】全文
【補正方法】変更
【補正の内容】
【特許請求の範囲】
【請求項１】
本体内部に、空気中の水分を吸着する除湿ローターと、前記除湿ローターを回転させる駆動手段と、前記除湿ローターから水分を放出させる発熱手段と、この発熱手段により前記除湿ローターから放出された高温高湿空気を結露させる熱交換器と、前記熱交換器を通過した高温高湿空気を上記発熱手段に戻すダクトと、前記発熱手段、除湿ローター、熱交換器、ダクトの順序に通過する空気を閉循環させる第１送風手段と、前記熱交換器を冷却するとともに前記除湿ローターに水分を吸着させて吹出口から乾燥空気を送出する第２送風手段を有し、発熱手段の内枠の断面形状を前記除湿ローターおよび突形状の除湿ローター保持枠に沿うように近接して段状に形成した除湿機。
【請求項２】
発熱手段の内枠の除湿ローター保持枠を耐熱性合成樹脂製にしてなる請求項１記載の除湿機。
【手続補正２】
【補正対象書類名】明細書
【補正対象項目名】全文
【補正方法】変更
【補正の内容】
【発明の詳細な説明】
【技術分野】
【０００１】
本発明は、室内空気を除湿する除湿機に関するものである。
【背景技術】
【０００２】
従来、この種の除湿機は、図６および図７に示すものが一般的であった。
【０００３】
以下、その除湿機について図を参照しながら説明する。
【０００４】
図に示すように、本体１０１内部に、駆動モーター１０２により回転される空気中の水分を吸脱着するための除湿ローター１０３と、この除湿ローター１０３を加熱する発熱ユニット１０４を設け、発熱ユニット１０４は加熱ヒーター１０４ａを備えている。加熱ヒーター１０４ａで加熱された除湿ローター１０３は高温高湿空気を放出し、この高温高湿空気は熱交換器１０５と、サブ熱交換器１０５ａを通るときに結露水を生成し、この結露水は排水タンク１１１に流れ込む。除湿ローター１０３、発熱手段１０４、熱交換器１０５、サブ熱交換器１０５ａを支持する仕切り板（図示せず）を設けている。また、除湿ローター１０３から熱交換器１０５、サブ熱交換器１０５ａ、発熱ユニット１０４に戻る閉循環経路ａに空気を通風する第１の送風ファン１０６を設け、本体１０１内に室内空気を吸込み、乾燥空気を排出する通風路に第２の送風ファン１０７を設けている。前記発熱ユニット１０４内は送風領域１０４ｃと加熱領域１０４ｄがあり、加熱ヒーター１０４ａと外枠１０４ｂの間に複数の穴を有した遮蔽板１０４ｅを設けることにより、加熱ヒーター１０４ａによる周辺部品への輻射熱を抑制するとともに、送風領域１０４ｃと加熱領域１０４ｄの通過風量を適正に調節する役目をしている。また、前記発熱ユニット１０４の金属製内枠１０４ｆは回転する除湿ローター１０３の金属製除湿ローター保持枠１０３ａとの隙間を０．１ｍｍ〜０．５ｍｍの隙間となるよう設置され、閉循環経路ａからの空気漏れを防止している。また、吹出口１０９近傍に衣類乾燥時に衣類を早く乾燥させるためのヒーター１１０を設けた構成となっている。
【発明の開示】
【発明が解決しようとする課題】
【０００５】
このような従来の除湿機では、発熱ユニットの内枠と除湿ローター保持枠との近接面は小さな隙間を設けているが、互いに平行であるため、閉循環経路の空気が漏れやすく除湿効率が減少するという課題があり、発熱ユニットの内枠と除湿ローター保持枠との隙間からの空気漏れを低減させ、除湿効率を向上させることが要求されている。
【０００６】
また、仕切り板の反り、歪みで発熱ユニットの金属製内枠と除湿ローターの金属製除湿ローター保持枠が回転時に接触し、金属表面のメッキが剥がれて腐蝕したり、金属同士が擦れる異音が発生するという課題があり、回転時に接触してもメッキが剥がれて腐蝕することのない、また、金属同士の擦れ音が発生しないことが要求されている。
【０００７】
本発明は、このような従来の課題を解決するものであり、発熱ユニットの内枠と除湿ローター保持枠との隙間からの空気漏れを低減させ、また、発熱ユニットの内枠と金属製除湿ローター保持枠が回転時に接触した場合に、金属表面のメッキが剥がれて腐蝕したり、異音が発生したりすることがない除湿機を提供することを目的としている。
【課題を解決するための手段】
【０００８】
本発明の除湿機は上記目的を達成するために、本体内部に、空気中の水分を吸着する除湿ローターと、前記除湿ローターを回転させる駆動手段と、前記除湿ローターから水分を放出させる発熱手段と、この発熱手段により前記除湿ローターから放出された高温高湿空気を結露させる熱交換器と、前記熱交換器を通過した高温高湿空気を上記発熱手段に戻すダクトと、前記発熱手段、除湿ローター、熱交換器、ダクトの順序に通過する空気を閉循環させる第１送風手段と、前記熱交換器を冷却するとともに前記除湿ローターに水分を吸着させて吹出口から乾燥空気を送出する第２送風手段を有し、発熱手段の内枠の断面形状を前記除湿ローターおよび突形状の除湿ローター保持枠に沿うように近接して段状に形成したものである。
【０００９】
本発明によれば、発熱ユニットの内枠と除湿ローター保持枠との隙間からの空気漏れを低減できる除湿機が得られる。
【００１０】
また他の手段は、発熱手段の内枠の除湿ローター保持枠を耐熱性合成樹脂製にしたものである。
【００１１】
本発明によれば、発熱ユニットの内枠と金属製除湿ローター保持枠が回転時に接触した場合に、金属表面のメッキが剥がれて腐蝕したり、異音が発生したりすることがない除湿機が得られる。
【発明の効果】
【００１２】
本発明によれば発熱ユニットの内枠の断面形状を除湿ローターおよび除湿ローター保持枠に沿うように近接して段状形成したことにより、除湿ローター保持枠との隙間にできる気流の漏れ経路を屈曲して長く取ることができ、漏れを少なく抑えて除湿効率を高く保つことができる効果のある除湿機を提供できる。
【００１３】
また、発熱ユニットの内枠側の除湿ローター保持枠を耐熱性合成樹脂製としたことにより、発熱ユニットの金属製の内枠と合成樹脂製の除湿ローター保持枠が接触しても、金属同士が擦れ合わないのでメッキが剥がれて腐蝕するのを防止でき、擦れ音も発生することがない効果のある除湿機を提供できる。
【発明を実施するための最良の形態】
【００１４】
本発明は、本体内部に、空気中の水分を吸着する除湿ローターと、前記除湿ローターを回転させる駆動手段と、前記除湿ローターから水分を放出させる発熱手段と、この発熱手段により前記除湿ローターから放出された高温高湿空気を結露させる熱交換器と、前記熱交換器を通過した高温高湿空気を上記発熱手段に戻すダクトと、前記発熱手段、除湿ローター、熱交換器、ダクトの順序に通過する空気を閉循環させる第１送風手段と、前記熱交換器を冷却するとともに前記除湿ローターに水分を吸着させて吹出口から乾燥空気を送出する第２送風手段を有し、発熱手段の内枠の断面形状を前記除湿ローターおよび突形状の除湿ローター保持枠に沿うように近接して段状に形成したことにより、発熱手段の内枠と除湿ローター保持枠との間にできる隙間からの気流の漏れ経路を長く取ることができ、気流の漏れを少なくすることができるという作用を有する。
【００１５】
また、発熱手段の内枠側の除湿ローター保持枠を耐熱性合成樹脂製にすることにより、発熱手段の金属製の内枠と除湿ローター保持枠の回転時の接触によるメッキ剥がれと擦れ音を防止できるという作用を有する。
【００１６】
以下、本発明の実施の形態について図面を参照しながら説明する。
【００１７】
（参考の形態１）
図１および図２に示すように、本体１内には空気中の水分を吸着する除湿ローター２と、前記除湿ローターを回転させる駆動手段３と、前記除湿ローターから水分を放出させる発熱ユニット４と、この発熱ユニット４により前記除湿ローター２から放出された高温高湿空気を結露させる熱交換器５と、前記熱交換器を通過した高温高湿空気を上記発熱手段に戻すダクト５ａを内蔵している。前記発熱ユニット４、除湿ローター２、熱交換器５、ダクト５ａは仕切り板（図示せず）によって支持され、本体１内部に固定されている。第１送風手段７により発熱ユニット４、除湿ローター２、熱交換器５、ダクト５ａの順序に通過する空気を閉循環させる閉循環風路ａと、第２送風手段８により熱交換器５を冷却するとともに除湿ローター２に水分を吸着させて吹出口から乾燥空気を送出する風路ｂを形成している。なお閉循環風路ａにおいて、熱交換器５内で結露を起こして生じた結露水は排水タンク９に貯えるようになっている。
【００１８】
また、発熱ユニット４の加熱ヒーター４ａと外枠４ｂとの間には発熱ヒーター４ａ前面を覆うように遮蔽板４ｃを設け、外枠４ｂと遮蔽板４ｃの間に空気層４ｄを設けた構成となっている。
【００１９】
上記構成において、発熱ユニット４の加熱ヒーター４ａからの直接的な輻射熱は遮蔽板４ｃによって遮られ、また、間接的な輻射熱は遮蔽板４ｃと外枠４ｂの間に設けた空気の層４ｄで断熱され、外枠４ｂを介して発熱ユニット４外部へ熱が拡散することを防止できる。すなわち加熱ヒーター４ａの発熱容量を低減することができるとともに、熱ロスのない効率良い除湿運転を行うことができる。
【００２０】
（参考の形態２）
本参考の形態以降において、参考の形態１と同一構成のものは同一番号を付して詳しい説明を省略する。
【００２１】
発熱ユニット４内に設けた遮蔽板４ｃの加熱ヒーター４ａ側の表面は、鏡面仕上げなど光沢性を有する表面処理が施されている。
【００２２】
上記構成において、発熱ユニット４の加熱ヒーター４ａからの直接的な輻射熱は遮蔽板４ｃによって遮られ、また、間接的な輻射熱は遮蔽板４ｃと外枠４ｂの間に設けた空気の層４ｄで断熱され、外枠４ｂを介して発熱ユニット４外部へ熱が拡散することを防止できる。さらに加熱ヒーター４ａからの直接的な輻射熱を遮蔽板４ｃが除湿ローター２側に反射させて熱効率を向上することができるとともに、周辺に逸散する熱ロスを軽減することができる。
【００２３】
したがって、除湿ローター２を従来と同一温度まで加熱する場合は、加熱ヒーター４ａの入力を低減でき、省エネルギーで効率良く除湿運転を行うことができる。
【００２４】
（参考の形態３）
図３に示すように、発熱ユニット４内に設けた遮蔽板４ｃの空気流入側に傾斜面４ｄを設け、遮蔽板４ｃと外枠４ｂの間には空気の層４ｄを介在させた構成としている。
【００２５】
上記構成において、発熱ユニット４の加熱ヒーター４ａからの直接的な輻射熱は遮蔽板４ｃによって遮られ、また、間接的な輻射熱は遮蔽板４ｃと外枠４ｂの間に設けた空気の層４ｄで断熱され、外枠４ｂを介して発熱ユニット４外部へ熱が拡散することを防止できる。さらに傾斜面４ｄが加熱ヒーター４ａ内部へ向かう空気流れを整流して、風速分布を略均一にできるので、加熱ヒーター４ａを通過するときの熱交換効率が改善され、効率良く除湿運転を行うことができる。
【００２６】
（実施の形態１）
図４に示すように発熱ユニット４の内枠１０に凸部１０ａを設け、この凸部１０ａを、除湿ローター２の表面と除湿ローター保持枠１１の凸部１１ａに沿うように微少な距離（０．５ｍｍ以下）を隔てて突出して配設した構成としている。
【００２７】
上記構成において、発熱ユニット４の内枠１０と除湿ローター保持枠１１の間には０．５ｍｍ以下の隙間が段状に形成され、加熱ヒーター４ａで加熱された熱風の漏れを極めて少なく抑えることができ、除湿性能を向上することができる。
【００２８】
（実施の形態２）
図４に示すように、発熱ユニット４の内枠１０側の除湿ローター保持枠１１を耐熱性合成樹脂製にしたもので、金属性に比べて厚みがやや大きくなっている。
【００２９】
上記構成において、仕切り板６の反り、歪み等で発熱ユニット４の金属製の内枠１０と樹脂製の除湿ローター保持枠１１が接触した場合は、合成樹脂の表面と金属の接触となるが、金属同士が擦れ合うことがないので、メッキ剥がれや擦れ音の発生がなく、長期間安定して使用することができる。
【００３０】
（参考の形態４）
図５に示すように第２送風手段８と吹出口１２との間に衣類乾燥用の発熱部１３を有し、前記発熱部１３の上面を開口率が小なる金属メッシュ１３ａで覆った構成としている。      
【００３１】
上記構成において、開口率が小なる金属メッシュ１３ａが衣類乾燥用の発熱部内部を流れる風を整流し風速分布を均一にできるので、金属メッシュ１３ａを通過して吹出口１２から吹出される温風温度を均一にでき、効率良く衣類を乾燥することができる。
【図面の簡単な説明】
【００３２】
【図１】本発明の参考の形態１〜４および実施の形態１、２の除湿機の断面図
【図２】同参考の形態１の発熱ユニットの断面図
【図３】同参考の形態３の発熱ユニットの断面図
【図４】同実施の形態１、２の発熱ユニットと除湿ローターの断面図
【図５】同参考の形態４の除湿機の背面側上部斜視図
【図６】従来の除湿機の断面図
【図７】同除湿機の発熱ユニットと除湿ローターの断面図
【符号の説明】
【００３３】
１      本体
２      除湿ローター
３      駆動手段
４      発熱ユニット（発熱手段）
４ａ    加熱ヒーター
４ｂ    外枠
４ｃ    遮蔽板
４ｄ    空気層
４ｅ    傾斜面
５      熱交換器
５ａ    ダクト
７      第１送風手段
８      第２送風手段
９      排水タンク
１０    内枠
１１    除湿ローター保持枠
１２    吹出口
１３    発熱部
１３ａ  金属メッシュ